(57)【特許請求の範囲】
【請求項１】
雄側帯状基部および前記雄側帯状基部に突出して設けられた雄部を有する雄部材と、
雌側帯状基部および前記雌側帯状基部に設けられ前記雄部が取り外し可能に係合する雌部を有する雌部材とを備え、
前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、
前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、
前記雌側帯状基部は、前記雌部に並行に突出して設けられ、前記雌側帯状基部の幅方向の一端側である前記雌部側に向けて突出する断面釣り針形状の雌側鉤状領域を有した雌側鉤部と、前記雌側鉤部の基端の、幅方向の他端側に位置して設けられた切断可能領域とを有し、
前記雄側帯状基部は、前記雌側鉤状領域に係合可能な雄側鉤状領域を有した雄側鉤部を有している
ことを特徴とするジッパーテープ。
【請求項２】
請求項１に記載のジッパーテープにおいて、
前記雄側鉤部および前記雌側鉤部は、複数対設けられ、
前記切断可能領域は、複数の前記雌側鉤部のうち、前記幅方向の他端側に位置する前記雌側鉤部の基端の、前記幅方向の他端側に位置して設けられている
ことを特徴とするジッパーテープ。
【請求項３】
請求項１または請求項２に記載のジッパーテープにおいて、
前記切断可能領域は、当該切断可能領域が設けられた雌側帯状基部の厚さ寸法より薄く形成された薄肉部、小穴が連続する目打ち部、および、当該切断可能領域が設けられた雌側帯状基部より軟質の部材にて形成された軟質部のうちの少なくともいずれかである
ことを特徴とするジッパーテープ。
【請求項４】
開口を有し被包装物が収納可能な袋本体と、
前記袋本体に取り付けられる雄側帯状基部および前記雄側帯状基部に突出して設けられた雄部を有する雄部材と、前記袋本体に取り付けられる雌側帯状基部および前記雌側帯状基部に設けられ前記雄部が取り外し可能に係合する雌部を有する雌部材とを備えたジッパーテープとを具備し、
前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、
前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、
前記雌側帯状基部は、前記被包装物を収納する収納空間側で、かつ前記突出領域の基端に位置して、切断可能領域が設けられる
ことを特徴とするジッパーテープ付袋体。
【請求項５】
開口を有し内容物が収納可能な袋本体と、
前記袋本体に取り付けられる雄側帯状基部および前記雄側帯状基部に突出して設けられた雄部を有する雄部材と、前記袋本体に取り付けられる雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有したジッパーテープと、
前記雌側帯状基部に離間して並列に、前記袋本体に取り付けられた帯状部材と、を備え、
前記雌側帯状基部は、前記雌部が設けられた領域より幅方向の前記開口側のみが前記袋本体に取り付けられ、
前記帯状部材は、前記雌側帯状基部に離間しかつ並列に、前記袋本体の被包装物側に位置して前記袋本体に取り付けられている
ことを特徴とするジッパーテープ付袋体。
【請求項６】
請求項５に記載のジッパーテープ付袋体において、
前記帯状部材は、前記ジッパーテープにおける雌側帯状基部の幅方向の一端側で、かつ前記突出領域の基端に位置して設けられた切断可能領域が切断されたことで、形成されたものである
ことを特徴とするジッパーテープ付袋体。
【請求項７】
雄側帯状基部および前記雄側帯状基部に突出して設けられた雄部を有する雄部材と、
雌側帯状基部および前記雌側帯状基部に設けられ前記雄部が取り外し可能に係合する雌部を有する雌部材とを備え、
前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、
前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、
前記雌側帯状基部は、幅方向の一端側で、かつ前記突出領域の基端に位置して、切断可能領域が設けられたジッパーテープを用い、
前記雄側帯状基部の幅方向の両端側を基材フィルムに取り付ける工程と、
前記雌側帯状基部における前記雌部および前記切断可能領域が設けられた領域を除いて幅方向の両端側のみを前記基材フィルムに取り付ける工程と、を実施する
ことを特徴とするジッパーテープ付袋体の製造方法。
【発明の詳細な説明】
【技術分野】
【０００１】
本発明は、ジッパーテープ、ジッパーテープ付袋体、および、ジッパーテープ付袋体の製造方法に関する。
【背景技術】
【０００２】
従来、薬品や食品などを包装する袋体において、ジッパーテープが取り付けられた各種袋体が知られている。このようなジッパーテープ付き袋体において、ジッパーテープが係合した状態で、収容物の粉体または液体などが漏れ出さないように、封止性と耐圧強度とが望まれた構成が知られている（例えば、特許文献１参照）。
【０００３】
特許文献１に記載のものは、一対の帯状基部に第１係合部と第２係合部とを並列に備えたジッパーテープが、袋本体の開口部に設けられている。ジッパーテープの一方の帯状基部は袋本体に取り付けられ、他方の帯状基部は幅方向における開口部側のみが袋本体に取り付けられ、幅方向における収容部側は袋本体に接着されないようになっている。そして、袋本体に内圧が作用した際、他方の帯状基部と袋本体との間に圧力が作用し、互いに係合する係合部には圧力の一部が作用し、係合部から収容物が漏れ出ないようにしている。
【先行技術文献】
【特許文献】
【０００４】
【特許文献１】特開平８−２６８４４５号公報
【発明の概要】
【発明が解決しようとする課題】
【０００５】
ところで、特許文献１に記載のような一方の帯状基部の幅方向における一端側のみを袋本体に取り付ける構成の場合、袋本体に取り付ける際に専用のシールバーが必要となる。
本発明は、高い封止性と易開封性との相反する双方が得られ、製造が容易なジッパーテープ、ジッパーテープ付袋体、および、ジッパーテープ付袋体の製造方法を提供することを目的とする。
【課題を解決するための手段】
【０００８】
本発明のジッパーテープは、雄側帯状基部および前記雄側帯状基部に突出して設けられた雄部を有する雄部材と、雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、前記雌側帯状基部は、前記雌部に並行に突出して設けられ、前記雌側帯状基部の幅方向の一端側である前記雌部側に向けて突出する断面釣り針形状の雌側鉤状領域を有した雌側鉤部と、前記雌側鉤部の基端の、幅方向の他端側に位置して設けられた切断可能領域とを有し、前記雄側帯状基部は、前記雌側鉤状領域に係合可能な雄側鉤状領域を有した雄側鉤部を有していることを特徴とする。
この発明では、本発明のジッパーテープに雄側鉤部および雌側鉤部を設けたもので、本発明のジッパーテープに加え、雄部および雌部の係合と合わせて、雄側鉤部および雌側鉤部の係合により、開封性があまり損なわれることなく、係合力を大きく増大でき、より高い封止性が得られるものです。
ここで、雄側鉤部および雌側鉤部の係合は、雄側鉤状領域および雌側鉤状領域が互いに引っ掛かっている、もしくは外力が作用した際に引っ掛かる、雄側鉤状領域および雌側鉤状領域がいわゆる互いに引っ掛り合う状態である。
【０００９】
さらに、本発明では、前記雄側鉤部および前記雌側鉤部は、複数対設けられ、前記切断可能領域は、複数の前記雌側鉤部のうち、前記幅方向の他端側に位置する前記雌側鉤部の基端の、前記幅方向の他端側に位置して設けられていることが好ましい。
この発明では、雄側鉤部および雌側鉤部を複数対設けることで、開封性があまり損なわれることなく、係合力を大きく増大でき、より高い封止性が得られる。
【００１０】
そして、本発明では、前記切断可能領域は、当該切断可能領域が設けられた雌側帯状基部の厚さ寸法より薄く形成された薄肉部、小穴が連続する目打ち部、および、当該切断可能領域が設けられた雌側帯状基部より軟質の部材にて形成された軟質部のうちの少なくともいずれかであることが好ましい。
この発明では、薄肉部や、目打ち部、あるいは軟質部の簡単な構造で、高い封止性および易開封性が得られるいわゆる片側外しの構成が、従来と同様の製造方法で容易に提供できる。
【００１１】
本発明のジッパーテープ付袋体は、開口を有し被包装物が収納可能な袋本体と、前記袋本体に取り付けられる雄側帯状基部および前記雄側帯状基部に突出して設けられた雄部を有する雄部材と、前記袋本体に取り付けられる雌側帯状基部および前記雌側帯状基部に設けられ前記雄部が取り外し可能に係合する雌部を有する雌部材とを備えたジッパーテープとを具備し、前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、前記雌側帯状基部は、前記被包装物を収納する収納空間側で、かつ前記突出領域の基端に位置して、切断可能領域が設けられることを特徴とする。
この発明では、袋本体の内圧が増大した際、切断可能領域を設けた幅方向の一端を内容物側として、一対の帯状基部の幅方向の両端側を、袋本体に取り付けた状態では、雌部の基端に圧力が作用し、切断可能領域で切断される。このことにより、雌側帯状基部は、幅方向の他端側のみが取り付けられ、高い封止性と易開封性との相反する双方が得られるいわゆる片側外し状態となる。このため、高い封止性と易開封性とが得られる構成が、切断可能領域を設けたジッパーテープを用いることで、一対の帯状基部の幅方向の両端側を袋本体に取り付ける通常の取付方法でも容易に得られ、製造性も向上できる。
【００１２】
本発明のジッパーテープ付袋体は、開口を有し内容物が収納可能な袋本体と、前記袋本体に取り付けられる雄側帯状基部および前記雄側帯状基部に突出して設けられた雄部を有する雄部材と、前記袋本体に取り付けられる雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有したジッパーテープと、前記雌側帯状基部に離間して並列に、前記袋本体に取り付けられた帯状部材と、を備え、前記雌側帯状基部は、前記雌部が設けられた領域より幅方向の前記開口側のみが前記袋本体に取り付けられ、前記帯状部材は、前記雌側帯状基部に離間しかつ並列に、前記袋本体の被包装物側に位置して前記袋本体に取り付けられていることを特徴とする。
この発明では、本発明の切断可能領域が設けられたジッパーテープが取り付けられたものにおいて、袋本体の内圧が増大して係合部の基端に圧力が作用し、切断可能領域で切断された後のジッパーテープおよび帯状部材がそれぞれ袋本体に取り付けられている状態であり、高い封止性と易開封性とが確実に得られる。
【００１３】
そして、本発明では、前記帯状部材は、前記ジッパーテープにおける雌側帯状基部の幅方向の一端側で、かつ前記突出領域の基端に位置して設けられた切断可能領域が切断されたことで、形成されたものである。
このため、切断可能領域が設けられたジッパーテープを従来の取付方法で袋本体に取り付けても、高い封止性と易開封性とが確実に得られる。
【００１４】
本発明のジッパーテープ付袋体の製造方法は、雄側帯状基部および前記雄側帯状基部に突出して設けられた雄部を有する雄部材と、雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、前記雌側帯状基部は、幅方向の一端側で、かつ前記突出領域の基端に位置して、切断可能領域が設けられたジッパーテープを用い、前記雄側帯状基部の幅方向の両端側を基材フィルムに取り付ける工程と、前記雌側帯状基部における前記雌部および前記切断可能領域が設けられた領域を除いて幅方向の両端側のみを前記基材フィルムに取り付ける工程と、を実施することを特徴とする。
この発明では、内圧が増大してジッパーテープの切断可能領域が切断されることで、高い封止性および易開封性が得られるジッパーテープ付袋体を、通常のジッパーテープの取り付けと同様にして容易に製造でき、高い封止性および易開封性のジッパーテープ付袋体の製造性を向上できる。
【図面の簡単な説明】
【００１５】
【図１】本発明の一実施形態におけるジッパーテープ付袋体を示す断面図。
【図２】本実施形態のジッパーテープを示す一部を切り欠いた断面図。
【図３】本実施形態のジッパーテープ付袋体の製造装置を示す概略斜視図。
【図４】本実施形態の内圧が加わった際のジッパーテープ付袋体を示す断面図。
【図５】前記内圧が加わった際の雄部および雌部の係合状態を説明する断面図。
【図６】本実施形態の開封時の雄部および雌部の係合解除を説明する断面図。
【図７】本発明の他の実施形態におけるジッパーテープ付袋体を示す断面図。
【図８】本発明のさらに他の実施形態におけるジッパーテープ付袋体を示す断面図。
【図９】本発明のさらに他の実施形態におけるジッパーテープを示す断面図。
【発明を実施するための形態】
【００１６】
以下、本発明の一実施形態を図面に基づいて説明する。
本実施形態では、ジッパーテープ付袋体として、食品、薬品、医療品、文具、雑貨などの各種物品を包装する袋体を例示するが、この限りではない。
【００１７】
［ジッパーテープ付袋体の構造］
図１に示すように、ジッパーテープ付袋体１は、袋本体１０と、袋本体１０の内面に接合、例えばヒートシールされたジッパーテープ２０と、を備えている。
【００１８】
（袋本体の構成）
袋本体１０は、フィルムである基材フィルム１１が折り返されて重ね合わされ、重なり合う両縁に図示しない一対のサイドシール部とトップシール部が形成される。
そして、袋本体１０は、折り返されて重なり合う縁が、ジッパーテープ２０を取り付ける開口部１２の縁となり、内部に被包装物を収納する収納空間１４を区画形成している。なお、開口部１２の縁は、被包装物が収納された後、トップシール部が形成されて封止される。
【００１９】
基材フィルム１１としては、例えば、（直鎖状）低密度ポリエチレン（Linear Low Density Polyethylene：ＬＬＤＰＥ）、ポリプロピレン（Polypropylene：ＰＰ）などの熱可塑性樹脂にて形成された単層または多層のフィルムを利用できる。多層のフィルムとしては、表基材に、二軸延伸したポリプロピレン（Oriented Polypropylene：ＯＰＰ）、二軸延伸ポリエチレンテレフタレート（ＯＰＥＴ）、二軸延伸ナイロン（ＯＮｙ）、キャストポリプロピレン（Cast Polypropylene：ＣＰＰ）などを用いることができる。なお、多層フィルムとして、いわゆるガスバリアーや遮光などの目的で、アルミニウム蒸着やアルミニウム箔の積層など、無機系の層を備えた構成としてもよい。
また、基材フィルム１１は、包装袋用材料であれば特に限定されないが、例えば厚み寸法が１０μｍ以上２００μｍ以下であることが好ましい。厚み寸法が１０μｍ未満であると、シール強度、袋強度が弱くなる場合がある。一方、厚み寸法が２００μｍを超えると、袋の開封がしにくくなる場合がある。
【００２０】
（ジッパーテープの構成）
ジッパーテープ２０は、図１，２に示すように、雄部材２１および雌部材２２を備えている。
雄部材２１は、長手帯状に形成された雄側帯状基部２１Ａと、雄側帯状基部２１Ａに長手方向に沿って突出して設けられた雄部２１Ｂと、雄部２１Ｂに並行に雄側帯状基部２１Ａに突出して設けられた雄側鉤部２１Ｃとを有している。そして、雄部材２１は、袋本体１０の開口部１２に沿って、雄側帯状基部２１Ａの幅方向の両端側が袋本体１０に接合されて取り付けられている。
雄部２１Ｂは、雄側帯状基部２１Ａから雄側帯状基部２１Ａの長手方向に沿った壁状に突出する首領域２１Ｂ１と、首領域２１Ｂ１から雄側帯状基部２１Ａの幅方向の一端側に向けて長手方向に沿って突出し、断面三角形状の雄側爪領域２１Ｂ２と、首領域２１Ｂ１から雄側帯状基部２１Ａの幅方向の他端側に向けて長手方向に沿って突出し、断面が釣り針形状の雄側鉤領域２１Ｂ３とを有している。
雄側鉤部２１Ｃは、雄部２１Ｂの鉤領域２１Ｂ３が突出する方向に突出し、断面が釣り針形状の雄側鉤状領域２１Ｃ１を有している。
【００２１】
雌部材２２は、長手帯状に形成された雌側帯状基部２２Ａと、雌側帯状基部２２Ａに長手方向に沿って突出して設けられ、雄部２１Ｂが係脱可能な雌部２２Ｂと、雌部２２Ｂに並行に雌側帯状基部２２Ａに突出して設けられた雌側鉤部２２Ｃとを有している。そして、雌部材２２は、袋本体１０の開口部１２に沿って、幅方向の両端側が袋本体１０に接合されて取り付けられている。
雌部２２Ｂは、雌側帯状基部２２Ａの長手方向に沿って壁状に突出する一対の突出領域２２Ｂ１と、突出領域２２Ｂ１から互いに基端側に向けて折り返すように内側に向けて長手方向に沿って突出する断面釣り針形状の雌側爪領域２２Ｂ３とを有している。
雌側鉤部２２Ｃは、雌部２２Ｂの雌側爪領域２２Ｂ３が突出する方向に突出し、断面が釣り針形状の雌側鉤状領域２２Ｃ１を有している。
また、雌側帯状基部２２Ａには、雌側帯状基部２２Ａから突出する雌側鉤部２２Ｃで、かつ幅方向の一端側である雌側鉤状領域２２Ｃ１が突出する側と反対側の収納空間１４側に位置して、切断可能領域としての薄肉部２２Ａ１が設けられている。この薄肉部２２Ａ１は、壁状の雌側鉤部２２Ｃに沿った凹溝状となる薄肉に形成されている。
【００２２】
雄部２１Ｂの雄側爪領域２１Ｂ２は、雌部２２Ｂの収納空間１４側に向けて突出する雌側爪領域２２Ｂ３に係脱可能な構成となっている。また、雄部２１Ｂの雄側鉤領域２１Ｂ３は、雌部２２Ｂの開口部１２側に向けて突出する雌側爪領域２２Ｂ３に係脱可能な構成となっている。
雄部２１Ｂと雌部２２Ｂとにより第一係合部２３が構成され、雄側鉤部２１Ｃと雌側鉤部２２Ｃとにより第二係合部２４が構成される。
【００２３】
雄部２１Ｂの雄側爪領域２１Ｂ２は、図２に示すように、首領域２１Ｂ１から突出する先端点である頂点Ｍが、雄側爪領域２１Ｂ２の断面三角形状の首領域２１Ｂ１に面する底面の垂線上に位置する。さらに、頂点Ｍにおける雄側帯状基部２１Ａの平面に平行な平行線Ｌに対して雄側爪領域２１Ｂ２の斜辺Ｎのなす角θは、不用意な開封を防止しつつ、開封性が損なわれることを防止して係合解除時の良好な手感触を提供するために、０°以上９０°未満の鋭角である。
【００２４】
そして、このようなジッパーテープ２０は、例えばポリオレフィン系樹脂を用いて形成されている。なお、ジッパーテープ２０は、長手方向に対して折り曲げることで、その状態を保持する形状保形性を有し、開口部１２の開口が維持される状態となるように形成してもよい。
ポリオレフィン系樹脂としては、例えば、低密度ポリエチレンまたは直鎖状低密度ポリエチレンなどのポリエチレン系樹脂、ポリプロピレン系樹脂が好ましい。特に、伸びにくいポリプロピレン系樹脂が好ましい。ポリプロピレン系樹脂としては、ホモポリプロピレン（Ｈ−ＰＰ）、ブロックポリプロピレン（Ｂ−ＰＰ）、ランダムポリプロピレン（Ｒ−ＰＰ）、プロピレン−エチレン−ブテン１ランダム三元共重合体などが利用できる。
【００２５】
［ジッパーテープ付袋体の製造］
次に、上記ジッパーテープ付袋体１の製造について説明する。
なお、ジッパーテープ付袋体１の製造には、種々の方法を採用することができる。
【００２６】
（製造装置）
図３は、ジッパーテープ付袋体１の製造装置を示す概略斜視図である。
図３に示す製造装置３は、いわゆる三方製袋機を基本構成とするものである。
この製造装置３は、雄部材２１および雌部材２２が係合されたジッパーテープ２０を送り出す一対のテープ操出装置３１と、ジッパーテープ２０を基材フィルム１１にヒートシールするジッパーテープ接合装置３２と、基材フィルム１１からジッパーテープ付袋体１を形成させる製袋装置３３と、などを備えている。
【００２７】
テープ操出装置３１は、雄部材２１および雌部材２２を係合したジッパーテープ２０を巻回したテープ巻取ロール３１１を着脱可能に装着し、ジッパーテープ２０を送り出す。
ジッパーテープ２０の操出は、例えば連続的に一定速度で繰り出す構成に限らず、間欠的に繰り出す構成とするなど、いずれの操出方法を適用できる。
なお、図３は、説明の都合上、一対のテープ操出装置３１のうちの一方のみを示す。
【００２８】
ジッパーテープ接合装置３２は、フィルム巻取ロール１１１から繰り出される基材フィルム１１と、テープ操出装置３１から繰り出されるジッパーテープ２０とを位置決めする図示しない位置決めガイド部と、基材フィルム１１にジッパーテープ２０をヒートシールする一対のシールバー３２１と、を備えている。
一対のシールバー３２１は、雄側帯状基部２１Ａにおける雄部２１Ｂおよび雄側鉤部２１Ｃ、あるいは雌側帯状基部２２Ａにおける雌部２２Ｂおよび雌側鉤部２２Ｃを除く、断面Ｕ字状に形成され、雄側帯状基部２１Ａや雌側帯状基部２２Ａの幅寸法とそれぞれ略同幅寸法に形成されている。
なお、基材フィルム１１とジッパーテープ２０との接合は、ヒートシールに限らず、超音波による溶着、接着剤などを用いた接着など、各種方法を利用できる。
【００２９】
製袋装置３３は、ボトムシール部１３を形成するボトムシールバー３３１と、ジッパーテープ２０を潰す潰しバー３３２と、ジッパーテープ２０を潰した位置でサイドシール部を形成するサイドシールバー３３３と、ジッパーテープ２０間で切断する第一切断部３３４と、サイドシール部毎に切断し、ボトムシール部１３とサイドシール部との三方がヒートシールされたジッパーテープ付袋体１を得る第二切断部３３５と、を備えている。
そして、製造装置３の次工程として、形成されたジッパーテープ付袋体１に被包装物Ｐを充填する充填装置（図示せず）が備えられている。
【００３０】
（ジッパーテープ付袋体の製造方法）
次に、上記製造装置３を用いたジッパーテープ付袋体１の製造方法について図面を参照して説明する。
【００３１】
ジッパーテープ付袋体１の製造方法は、例えば図３に示す三方製袋する製造装置３を用いて製造され、ジッパーテープ２０を繰り出すテープ操出工程と、ジッパーテープ２０を基材フィルム１１に接合させるテープ取付工程と、基材フィルム１１からジッパーテープ付袋体１を形成させる製袋工程と、などを実施する。
【００３２】
テープ操出工程で、テープ巻取ロール３１１からジッパーテープ２０を引き出し、ジッパーテープ接合装置３２へ繰り出し、テープ取付工程を実施させる。
テープ取付工程では、ジッパーテープ接合装置３２により、位置決めガイド部でジッパーテープ２０と基材フィルム１１とを位置決めする。そして、ジッパーテープ接合装置３２は、シールバー３２１によりジッパーテープ２０の雄部材２１および雌部材２２を基材フィルム１１にそれぞれヒートシールする。
このジッパーテープ２０のシールの際、雄側帯状基部２１Ａおよび雌側帯状基部２２Ａは、それぞれ幅方向の両端側がシールされる。
【００３３】
この後、製袋工程でジッパーテープ付袋体１を製袋する。製袋に際して、まずボトムシールバー３３１によりボトムシール部１３を形成する。この後、潰しバー３３２により、ジッパーテープ２０を所定間隔で潰す。続いて、潰しバー３３２でジッパーテープ２０を潰した位置でサイドシールバー３３３により、基材フィルム１１をシールしてサイドシール部を形成する。第一切断部３３４および第二切断部３３５によりそれぞれ切断し、ボトムシール部１３とサイドシール部との三方がシールされたジッパーテープ付袋体１を切り出す。
そして、得られたジッパーテープ付袋体１に、図示しない充填装置により、開口部１２側から被包装物Ｐが所定量投入され、ジッパーテープ２０の係合により封止する。
【００３４】
［内圧作用時および開封時の動作］
次に、上記ジッパーテープ付袋体１の内圧作用時および開封時の動作を、図面を参照して説明する。
図４は、ジッパーテープ付袋体１に内圧を加えた際の雄部および雌部の係合状態を説明する断面図である。図５は、内圧が加わった際のジッパーテープ付袋体１の雄部および雌部の係合状態を説明する断面図である。図６は、ジッパーテープ付袋体１を開封する際の雄部および雌部の係合解除を説明する断面図である。
【００３５】
（内圧作用時）
被包装物を封止した状態で、ジッパーテープ付袋体１に外力が作用したり加熱などにて内圧が高くなると、内圧は、第二係合部２４に作用する。このことにより、図４および図５に示すように、第二係合部２４の雌側鉤部２２Ｃの基端の弱い部分である薄肉部２２Ａ１が切断される。なお、切断された雌側帯状基部２２Ａの一端側となる部分が帯状部材２２Ａ３として袋本体１０に接合したままの状態となる。この薄肉部２２Ａ１が切断した状態では、雌部材２２は、雌側帯状基部２２Ａの幅方向における開口部１２側のみが袋本体１０に取り付けられた、いわゆる片側外し状態となる。
この片側外し状態で、内圧が作用すると、図５中の矢印方向に雄側帯状基部２１Ａおよび雌側帯状基部２２Ａが移動する状態となる。この状態では、雄部２１Ｂの雄側鉤領域２１Ｂ３と雌部２２Ｂの雌側爪領域２２Ｂ３と、および、雄側鉤部２１Ｃの雄側鉤状領域２１Ｃ１と雌側鉤部２２Ｃの雌側鉤状領域２２Ｃ１とが、互いに引っ張り合うように噛合する。このことにより、第一係合部２３および第二係合部２４の係合がより強くなり、開口部１２は開封されない。
なお、高まった内圧の一部は、袋本体１０と雌側帯状基部２２Ａとの間に作用し、雄部材２１および雌部材２２の係合部分には残りの内圧が作用することとなり、内圧の作用により直接係合が解除されにくく、漏れを防止できる。
【００３６】
（開封時）
一方、開封に際しては、トップシール部を除去して開口部１２を開口させる。そして、図６に示すように、開口部１２の縁を互いに離間する矢印方向に引っ張る。このことにより、雄側帯状基部２１Ａおよび雌側帯状基部２２Ａが湾曲するように屈曲される状態となる。
このため、雄部２１Ｂの雄側爪領域２１Ｂ２および雌部２２Ｂの雌側爪領域２２Ｂ３が外れる方向に移動され、雄側爪領域２１Ｂ２の先端および雄部２１Ｂの先端が雌部２２Ｂの雌側爪領域２２Ｂ３の先端を滑動するように第一係合部２３の係合が外れる。同様に、第二係合部２４についても、雄側鉤部２１Ｃの雄側鉤状領域２１Ｃ１と雌側鉤部２２Ｃの雌側鉤状領域２２Ｃ１とが外れる方向に移動されて外れ、開口部１２が小さな力で容易に開封できる。
【００３７】
［実施形態の効果］
上述したように、上記実施形態では、袋本体１０の内圧が増大した際、一対の帯状基部２１Ａ，２２Ａの幅方向の両端側を袋本体１０に取り付けた状態では、第二係合部２４の基端に圧力が作用し、薄肉部２２Ａ１が切断する。このことにより、雌側帯状基部２２Ａは、幅方向における他端側である開口部１２に対応する側のみが袋本体１０に取り付けられた状態となり、高い封止性と易開封性との相反する双方が得られるいわゆる片側外しの状態となる。
このため、高い封止性と易開封性とが得られる構成が、薄肉部２２Ａ１を設けた簡単な構造のジッパーテープ２０を用い、一対の帯状基部２１Ａ，２２Ａの幅方向の両端側を袋本体１０に取り付ける通常の取付方法でも容易に得られ、製造性も向上できる。
【００３８】
そして、上記実施形態では、第一係合部２３および第二係合部２４をそれぞれ設けている。
このため、雄側鉤部２１Ｃおよび雌側鉤部２２Ｃの係合と合わせて、雄部２１Ｂおよび雌部２２Ｂの係合により、開封性があまり損なわれることなく、係合力を大きく増大でき、より高い封止性が得られる。
【００３９】
さらに、切断可能領域として薄肉部２２Ａ１としている。
このため、内圧が作用した際に切断して片側外しの構成が、薄肉に形成する簡単な構成で容易に得られる。
【００４０】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００４１】
例えば、上記実施形態では、第一係合部２３および第二係合部２４を設けたジッパーテープ２０を例示したが、例えば、図７に示すように、第二係合部２４を設けず第一係合部２３のみとし、雌部２２Ｂの基端に、切断可能領域を設けてもよい。
【００４２】
さらに、ジッパーテープ２０としては、第一係合部２３や第二係合部２４を複数対設けてもよい。
このような構成とすることで、より係合力が向上し、高い封止性が得られる。
なお、この場合には、切断可能領域より収納空間１４側には、他の第一係合部２３や第二係合部２４は設けられていない構成とする必要がある。具体的には、第一係合部２３を複数対設けた構成では、図８に示すように、最も収納空間１４側に位置する雌部２２Ｂの収納空間２４側の基端に、切断可能領域（例えば、薄肉部２２Ａ１）を設ける必要がある。第二係合部２４を複数対設けた構成も同様に、最も収納空間１４側に位置する雌側鉤部２２Ｃの収納空間２４側の基端に、切断可能領域を設ける必要がある。
【００４３】
また、本発明では、切断可能領域が設けられる帯状基部２１Ａ，２２Ａには、例えば図９に示すように、ヒートシールの際に基材フィルム１１に取り付けられる接合領域としての接合突起２１Ａ２，２２Ａ２が、切断可能領域、例えば薄肉部２２Ａ１より幅方向の一端側に位置して設けられることが好ましい。この図９に示すような帯状基部２１Ａ，２２Ａの幅方向の両端側に、積極的にシールされる接合突起２１Ａ２，２２Ａ２を設けることで、内圧が作用して切断可能領域で切断された際に、確実に片側外しの構成が得られ、内圧に対して高い封止性が確実に得られる。
【００４４】
さらに、本発明では、例えば図９に示すように、雄側鉤部２１Ｃや雌側鉤部２２Ｃが変形した際に当接可能に補強部２５を設けてもよい。さらに、雄部２１Ｂや雌部２２Ｂが変形した際に当接可能に補強部２５を設けてもよい。
このような補強部２５を設けることで、例えば、ジッパーテープ付袋体１に大きな内圧が作用し、雄側鉤部２１Ｃや雌側鉤部２２Ｃが変形したり、雄部２１Ｂや雌部２２Ｂが変形したりすると、補強部２５に当接して変形が抑制される。このため、係合が解除されてしまうことを防止でき、より高い封止性を提供できる。
【００４５】
そして、切断可能領域としては、薄肉部２２Ａ１に限らない。例えば、小穴が連続する目打ち部、帯状基部２１Ａ，２２Ａの他の部位より軟質の部材にて形成された軟質部、これらの組み合わせのいずれの構成としてもよい。
なお、確認事項として上述した実施の形態から抽出される特徴について記載する。
［ジッパーテープ１］
雄側帯状基部および前記雄側帯状基部に突出して設けられた雄部を有する雄部材と、雌側帯状基部および前記雌側帯状基部に設けられ前記雄部が取り外し可能に係合する雌部を有する雌部材とを備え、前記雄部は、前記雄側帯状基部から突出する首領域と、前記首領域から前記雄側帯状基部の幅方向の一側に向けて突出する雄側爪領域と、前記首領域から前記雄側帯状基部の幅方向の他側に向け突出する雄側鉤領域とを有し、前記雌部は、雌側帯状基部の長手方向に沿って壁状に突出する一対の突出領域と、突出領域から互いに基端側に向けて折り返すように内側に向けて長手方向に沿って突出する断面釣り針形状の雌側爪状領域とを有し、前記雌側帯状基部は、幅方向の一端側で、かつ前記突出領域の基端に位置して、切断可能領域が設けられることを特徴とするジッパーテープ。
雌側帯状基部の幅方向における一端側に、雌部の突出領域の基端に位置して切断可能領域を設けている。このことにより、切断可能領域を設けた幅方向の一端を内容物側として、一対の帯状基部の幅方向の両端側を、袋本体に取り付けた状態で、袋本体の内圧が増大した際、雌部の基端に圧力が作用し、切断可能領域で切断される。このため、雌側帯状基部は、幅方向の他端側のみが取り付けられ、高い封止性と易開封性との相反する双方が得られるいわゆる片側外し状態となる。したがって、高い封止性と易開封性とが得られる構成が、一対の帯状基部の幅方向の両端側を袋本体に取り付ける通常の取付方法でも容易に得られる。
ここで、雄部および雌部の係合とは、雄部の雄側爪領域や雄側鉤領域と、雌部の雌側爪状領域とが互いに引っ掛かっている、もしくは外力が作用した際に引っ掛かる、いわゆる互いに引っ掛かり合う状態の他、噛み合うこと（噛合、咬合）、嵌め合う状態も含むものである。
［ジッパーテープ２］
上記ジッパーテープ１において、前記雄部および前記雌部は、複数対設けられ、前記切断可能領域は、前記複数対設けられた前記雌部のうち、前記雌側帯状基部の幅方向の一端側に位置する前記雌部の突出領域の基端に位置して設けられていることを特徴とする。
複数対の雄部および雌部を設けることで、雄部および雌部による係合力が増大し、より高い封止性が得られる。
【符号の説明】
【００４６】
１………ジッパーテープ付袋体
１０………袋本体
１１………基材フィルム
２０………ジッパーテープ
２１Ａ……雄側帯状基部
２１Ｂ……雄部
２１Ｂ１…首領域
２１Ｂ２…雄側爪領域
２１Ｂ３…雄側鉤領域
２２Ａ……雌側帯状基部
２２Ａ１…切断可能領域としての薄肉部
２２Ａ３…帯状部材
２２Ｂ……雌部
２２Ｂ１…突出領域
２２Ｂ３…雌側爪状領域
【図１】
0006514896.tif 000002
【図２】
0006514896.tif 000003
【図３】
0006514896.tif 000004
【図４】
0006514896.tif 000005
【図５】
0006514896.tif 000006
【図６】
0006514896.tif 000007
【図７】
0006514896.tif 000008
【図８】
0006514896.tif 000009
【図９】
0006514896.tif 000010